【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
放送内容に関するデータを含む放送信号を複数の周波数が受信可能な受信手段で受信し、前記放送信号から前記データを抽出手段で抽出して保持手段に保持する受信装置において、
情報ネットワークを介して当該受信装置と同様な機能を有する他の受信装置と接続する接続手段と、
前記受信手段で受信するように設定されている複数の周波数にそれぞれ対応する全ての前記データが、前記保持手段に保持されているか否かを判定する判定手段と、
前記判定手段の判定結果に対応して、保持されていない前記データを特定するための特定情報を、前記接続手段および前記情報ネットワークを介して前記他の受信装置に通知する通知手段と、
前記他の受信装置から前記情報ネットワークおよび前記接続手段を介して供給される前記他の受信装置が保持していない前記データを特定するための特定情報の通知に対応して、前記保持手段に保持されている前記データを、前記接続手段および前記情報ネットワークを介して前記他の受信装置に供与する供与手段と、
前記通知手段による前記特定情報の通知に対応して前記他の受信装置から前記情報ネットワークおよび前記接続手段を介して供給される前記データを取得し、前記保持手段に保持させる取得手段と
を含むことを特徴とする受信装置。
【請求項２】
前記放送信号が地上デジタル放送信号であり、前記放送内容に関するデータがトランスポート信号である
ことを特徴とする請求項１に記載の受信装置。
【請求項３】
前記トランスポート信号が、地上デジタル放送のネットワークを特定できるネットワークＩＤを含んでいる
ことを特徴とする請求項２に記載の受信装置。
【請求項４】
前記情報ネットワークがサーバを含んでおり、
前記通知手段が、前記判定手段の判定結果に対応して、保持されていない前記データを特定するための特定情報を、前記接続手段を介して前記情報ネットワーク上のサーバにも通知し、
前記取得手段が、前記通知手段による前記特定情報の通知に対応して前記サーバから前記接続手段を介して供給される前記データも取得して前記保持手段に保持させ、
前記供与手段が、前記保持手段に保持されている前記データを、前記接続手段を介して前記サーバにも供与する
ことを特徴とする請求項１に記載の受信装置。
【請求項５】
放送内容に関するデータを含む放送信号を複数の周波数が受信可能な受信手段で受信し、前記放送信号から前記データを抽出手段で抽出して保持手段に保持する受信装置の受信方法において、
前記受信手段で受信するように設定されている複数の周波数にそれぞれ対応する全ての前記データが、前記保持手段に保持されているか否かを判定する判定ステップと、
前記判定手段の判定結果に対応して、保持されていない前記データを特定するための特
定情報を、情報ネットワークを介して前記受信装置と同様な機能を有する他の受信装置に通知する通知ステップと、
前記他の受信装置から前記情報ネットワークを介して供給される前記他の受信装置が保持していない前記データを特定するための特定情報の通知に対応して、前記保持手段に保持されている前記データを、前記情報ネットワークを介して前記他の受信装置に供与する供与ステップと、
前記通知手段による前記特定情報の通知に対応して前記他の受信装置から前記情報ネットワークを介して供給される前記データを取得し、前記保持手段に保持させる取得ステップと
を含むことを特徴とする受信方法。
【請求項６】
放送内容に関するデータを含む放送信号を複数の周波数が受信可能な受信手段で受信し、前記放送信号から前記データを抽出手段で抽出して保持手段に保持する受信装置の受信方法をコンピュータに実行させるためのプログラムであって、
前記受信手段で受信するように設定されている複数の周波数にそれぞれ対応する全ての前記データが、前記保持手段に保持されているか否かを判定する判定ステップと、
前記判定手段の判定結果に対応して、保持されていない前記データを特定するための特
定情報を、情報ネットワークを介して前記受信装置と同様な機能を有する他の受信装置に通知する通知ステップと、
前記他の受信装置から前記情報ネットワークを介して供給される前記他の受信装置が保持していない前記データを特定するための特定情報の通知に対応して、前記保持手段に保持されている前記データを、前記情報ネットワークを介して前記他の受信装置に供与する供与ステップと、
前記通知手段による前記特定情報の通知に対応して前記他の受信装置から前記情報ネットワークを介して供給される前記データを取得し、前記保持手段に保持させる取得ステップと
をコンピュータに実行させるためのプログラム。
【手続補正２】
【補正対象書類名】明細書
【補正対象項目名】０００５
【補正方法】変更
【補正の内容】
【０００５】
従って、受信装置により、受信したＴＳ情報を利用して、例えば、異なる複数のネットワークから同時刻に放送される番組の番組表を表示させようとした場合、異なる複数のネットワークのＴＳ情報を取得する処理が必要となる。このような処理を実現するためには、受信装置に複数のチューナを内蔵したりする方法が考えられる。
【非特許文献１】地上デジタルテレビジョン放送運用規定  技術資料  ARIB TR-B14
【手続補正３】
【補正対象書類名】明細書
【補正対象項目名】０００９
【補正方法】変更
【補正の内容】
【０００９】
本発明の受信装置は、放送内容に関するデータを含む放送信号を複数の周波数が受信可能な受信手段で受信し、前記放送信号から前記データを抽出手段で抽出して保持手段に保持する受信装置において、情報ネットワークを介して当該受信装置と同様な機能を有する他の受信装置と接続する接続手段と、前記受信手段で受信するように設定されている複数の周波数にそれぞれ対応する全ての前記データが、前記保持手段に保持されているか否かを判定する判定手段と、前記判定手段の判定結果に対応して、保持されていない前記データを特定するための特定情報を、前記接続手段および前記情報ネットワークを介して前記他の受信装置に通知する通知手段と、前記他の受信装置から前記情報ネットワークおよび前記接続手段を介して供給される前記他の受信装置が保持していない前記データを特定するための特定情報の通知に対応して、前記保持手段に保持されている前記データを、前記接続手段および前記情報ネットワークを介して前記他の受信装置に供与する供与手段と、前記通知手段による前記特定情報の通知に対応して前記他の受信装置から前記情報ネットワークおよび前記接続手段を介して供給される前記データを取得し、前記保持手段に保持させる取得手段とを含むことを特徴とする。
【手続補正４】
【補正対象書類名】明細書
【補正対象項目名】００１０
【補正方法】変更
【補正の内容】
【００１０】
前記放送信号を地上デジタル放送信号とし、前記放送内容に関するデータをトランスポート信号とするようにすることができる。
【手続補正５】
【補正対象書類名】明細書
【補正対象項目名】００１１
【補正方法】変更
【補正の内容】
【００１１】
前記トランスポート信号を、地上デジタル放送のネットワークを特定できるネットワークＩＤを含んでいるようにすることができる。
前記情報ネットワークがサーバを含んでおり、前記通知手段が、判定手段の判定結果に対応して、保持されていないデータを特定するための特定情報を、接続手段を介して情報ネットワーク上のサーバにも通知し、前記取得手段が、通知手段による特定情報の通知に対応してサーバから接続手段を介して供給されるデータも取得して保持手段に保持させ、前記供与手段が、保持手段に保持されているデータを、接続手段を介してサーバにも供与するようにすることができる。
【手続補正６】
【補正対象書類名】明細書
【補正対象項目名】００１２
【補正方法】変更
【補正の内容】
【００１２】
本発明の受信方法は、放送内容に関するデータを含む放送信号を複数の周波数が受信可能な受信手段で受信し、前記放送信号から前記データを抽出手段で抽出して保持手段に保持する受信装置の受信方法において、前記受信手段で受信するように設定されている複数の周波数にそれぞれ対応する全ての前記データが、前記保持手段に保持されているか否かを判定する判定ステップと、前記判定手段の判定結果に対応して、保持されていない前記データを特定するための特定情報を、情報ネットワークを介して前記受信装置と同様な機能を有する他の受信装置に通知する通知ステップと、前記他の受信装置から前記情報ネットワークを介して供給される前記他の受信装置が保持していない前記データを特定するための特定情報の通知に対応して、前記保持手段に保持されている前記データを、前記情報ネットワークを介して前記他の受信装置に供与する供与ステップと、前記通知手段による前記特定情報の通知に対応して前記他の受信装置から前記情報ネットワークを介して供給される前記データを取得し、前記保持手段に保持させる取得ステップとを含むことを特徴とする。
【手続補正７】
【補正対象書類名】明細書
【補正対象項目名】００１３
【補正方法】変更
【補正の内容】
【００１３】
本発明のプログラムは、放送内容に関するデータを含む放送信号を複数の周波数が受信可能な受信手段で受信し、前記放送信号から前記データを抽出手段で抽出して保持手段に保持する受信装置の受信方法をコンピュータに実行させるためのプログラムであって、前記受信手段で受信するように設定されている複数の周波数にそれぞれ対応する全ての前記データが、前記保持手段に保持されているか否かを判定する判定ステップと、前記判定手段の判定結果に対応して、保持されていない前記データを特定するための特定情報を、情報ネットワークを介して前記受信装置と同様な機能を有する他の受信装置に通知する通知ステップと、前記他の受信装置から前記情報ネットワークを介して供給される前記他の受信装置が保持していない前記データを特定するための特定情報の通知に対応して、前記保持手段に保持されている前記データを、前記情報ネットワークを介して前記他の受信装置に供与する供与ステップと、前記通知手段による前記特定情報の通知に対応して前記他の受信装置から前記情報ネットワークを介して供給される前記データを取得し、前記保持手段に保持させる取得ステップとをコンピュータに実行させる。
【手続補正８】
【補正対象書類名】明細書
【補正対象項目名】００１４
【補正方法】変更
【補正の内容】
【００１４】
本発明においては、受信するように設定されている複数の周波数にそれぞれ対応する全てのデータが保持されているか否か判定され、この判定結果に対応して、保持されていないデータを特定するための特定情報が、情報ネットワークを介して当該受信装置と同様な機能を有する他の受信装置に通知される。また、他の受信装置から情報ネットワークを介して供給される、他の受信装置が保持していないデータを特定するための特定情報の通知に対応して、保持しているデータが情報ネットワークを介して他の受信装置に供与される。また、通知した特定情報の通知に対応して他の受信装置から情報ネットワークを介して供給されるデータが取得されて保持される。
【手続補正９】
【補正対象書類名】明細書
【補正対象項目名】００１５
【補正方法】変更
【補正の内容】
【００１５】
本発明によれば、ある受信装置において、受信手段で受信するように設定されている複数の周波数にそれぞれ対応する全てのデータが保持されていない場合でも、保持されていないデータを特定するための特定情報が、他の受信装置に通知され、その通知に対応して他の受信装置から供給されるデータが取得されて保持される。したがって、例えば、地上デジタル放送における異なる複数のネットワークにそれぞれ対応する複数のＴＳ情報をいずれの受信装置においても速やかに取得することが可能となる。
【手続補正１０】
【補正対象書類名】明細書
【補正対象項目名】００１８
【補正方法】変更
【補正の内容】
【００１８】
請求項１に記載の受信装置は、放送内容に関するデータ（例えばＴＳ情報）を含む放送信号（例えば、地上デジタル放送信号）を複数の周波数が受信可能な受信手段で受信し、前記放送信号から前記データを抽出手段で抽出して保持手段に保持する受信装置（例えば、図１のデジタル放送受信装置１−１）において、情報ネットワーク（例えば、LAN４あるいはインタネット５）を介して当該受信装置と同様な機能を有する他の受信装置（例えば、図１のデジタル放送受信装置１−２）と接続する接続手段（例えば、図２の通信部１６）と、前記受信手段で受信するように設定されている複数の周波数にそれぞれ対応する全ての前記データが、前記保持手段に保持されているか否かを判定する判定手段（例えば、図４のステップＳ１の処理を行う図２の制御部１１）と、前記判定手段の判定結果に対応して、保持されていない前記データを特定するための特定情報（例えば、ネットワークＩＤ）を、前記接続手段および前記情報ネットワークを介して前記他の受信装置に通知する通知手段（例えば、図４のステップＳ４の処理を行う図２の通信部１６）と、前記他の受信装置から前記情報ネットワークおよび前記接続手段を介して供給される前記他の受信装置が保持していない前記データを特定するための特定情報の通知に対応して、前記保持手段に保持されている前記データを、前記接続手段および前記情報ネットワークを介して前記他の受信装置に供与する供与手段（例えば、図４のステップＳ５の処理を行う図２の制御部１１）と、前記通知手段による前記特定情報の通知に対応して前記他の受信装置から前記情報ネットワークおよび前記接続手段を介して供給される前記データを取得し、前記保持手段に保持させる取得手段（例えば、図４のステップＳ６の処理を行う図２の制御部１１）とを含むことを特徴とする受信装置。
請求項５に記載の受信方法は、放送内容に関するデータを含む放送信号を複数の周波数が受信可能な受信手段で受信し、前記放送信号から前記データを抽出手段で抽出して保持手段に保持する受信装置の受信方法において、前記受信手段で受信するように設定されている複数の周波数にそれぞれ対応する全ての前記データが、前記保持手段に保持されているか否かを判定する判定ステップ（例えば、図４のステップＳ１）と、前記判定手段の判定結果に対応して、保持されていない前記データを特定するための特定情報を、情報ネットワークを介して前記受信装置と同様な機能を有する他の受信装置に通知する通知ステップ（例えば、図４のステップＳ４）と、前記他の受信装置から前記情報ネットワークを介して供給される前記他の受信装置が保持していない前記データを特定するための特定情報の通知に対応して、前記保持手段に保持されている前記データを、前記情報ネットワークを介して前記他の受信装置に供与する供与ステップ（例えば、図４のステップＳ５）と、
前記通知手段による前記特定情報の通知に対応して前記他の受信装置から前記情報ネットワークを介して供給される前記データを取得し、前記保持手段に保持させる取得ステップ（例えば、図４のステップＳ６）とを含むことを特徴とする受信方法。